(57)【特許請求の範囲】
【請求項１】
遊技場に設置された外部装置からのコネクタである外部コネクタに接続される第１のコネクタと、遊技を制御する制御基板からのコネクタである制御コネクタに接続される第２のコネクタとを有し、該外部装置と該制御基板とを中継する情報端子板と、
該情報端子板を内部に封止すると共に、前記第１のコネクタ及び前記第２のコネクタを外部に露出する挿通孔が形成された透明な基板ケースと、
該基板ケースを着脱自在に保持するケース保持機構と、
を備え、
前記基板ケースには、前記情報端子板の配線形成面と対向する部位に、前記情報端子板の面に関わる説明が表示されており、
前記情報端子板の面に関わる説明は、前記第１のコネクタ及び前記第２のコネクタにて中継される信号の名称、前記信号が電圧出力と接点出力のうちのどちらであるか、前記第１のコネクタ及び前記第２のコネクタにおける接続端子の極性、のうちの少なくとも１つであり、
前記ケース保持機構は、
当該遊技機に固定される板状部材と、
前記基板ケースを該板状部材上に係着する係着部材と、
から構成され、
前記板状部材には、前記情報端子板の面に関わる説明が表示されていることを特徴とする遊技機。
【請求項２】
前記基板ケースには、前記情報端子板の面に関わる説明が刻印によって表示されていることを特徴とする請求項１記載の遊技機。
【請求項３】
前記ケース保持機構は、前記外部コネクタに接続された配線、及び前記制御コネクタに接続された配線を固定する配線固定機構を備えることを特徴とする請求項１又は請求項２記載の遊技機。
【請求項４】
前記基板ケースは、
前記情報端子板を固定する第１のケース部材と、
該第１のケース部材に係合し、該第１のケース部材と共に前記情報端子板を内部に封止する第２のケース部材と、
から構成されていることを特徴とする請求項１乃至請求項３いずれか記載の遊技機。
【請求項５】
前記第１のケース部材及び前記第２のケース部材には、各々に対向する前記情報端子板の面に当接する当接部材が設けられていることを特徴とする請求項４記載の遊技機。
【請求項６】
前記第１のコネクタ及び前記第２のコネクタのうちの少なくとも一方は、
前記情報端子板に立設される接続端子と、
該接続端子を囲繞するように前記情報端子板に立設される絶縁体と、
を備え、
該接続端子は、前記情報端子板からの高さが該絶縁体よりも低いことを特徴とする請求項１乃至請求項５いずれか記載の遊技機。
【発明の詳細な説明】
【技術分野】
【０００１】
本発明は、遊技場に設置された外部装置と遊技を制御する制御基板とを中継する情報端子板を備える遊技機に関する。
【背景技術】
【０００２】
従来より、一般的に、パチンコ遊技機の背部には、遊技場に設置された管理コンピュータ、及び当該パチンコ遊技機に搭載された主基板や払出制御基板などにそれぞれ接続されるコネクタを備え、管理コンピュータとこれら基板とを中継する情報端子板がビスによって固定されている（例えば、特許文献１を参照。）。尚、この情報端子板は、コネクタのみを外部に露出する挿通孔が形成されたケースに封止され、パチンコ遊技機内部にてこぼれ落ちた遊技球が直接当たることがないように設定されている。
【０００３】
ここで、国家公安委員会が定める「遊技機の認定及び型式の検定等に関する規則」では、主基板については、透明なケースで密封するように定めているのに対し、情報端子板については、そのような規制を設けていない。このため、情報端子板を封止するケースは、開封可能に構成され、又、不透明な材質が用いられる場合もある。
【０００４】
そして、近年、これに起因して、不正に大当たりを発生させる不正基板（所謂「ぶら下がり基板」）を情報端子板に付設するゴト行為が増えてきているため、遊技場側は、情報端子板をパチンコ遊技機から取り外し、不正基板が付設されているか否かを確認する点検作業を定期的に実施している。
【特許文献１】特開２００１−２８６６４３号公報（段落［００１９］〜［０１００］、図９〜図１４）
【発明の開示】
【発明が解決しようとする課題】
【０００５】
ところで、従来のパチンコ遊技機では、点検作業時に、ケースを開封し、情報端子板を固定するビスを取り外す必要があり、又、点検作業の終了時に、情報端子板をビスで再度固定し、ケースを再度封止する必要があったため、点検作業に手間を要するという問題点があった。
【０００６】
そこで、本発明は、情報端子板の点検作業に要する手間を低減させた遊技機を提供することを目的とする。
【課題を解決するための手段】
【０００７】
上記目的を達成するためになされた発明である請求項１記載の遊技機は、遊技場に設置された外部装置からのコネクタである外部コネクタに接続される第１のコネクタと、遊技を制御する制御基板からのコネクタである制御コネクタに接続される第２のコネクタとを有し、該外部装置と該制御基板とを中継する情報端子板と、該情報端子板を内部に封止すると共に、前記第１のコネクタ及び前記第２のコネクタを外部に露出する挿通孔が形成された透明な基板ケースと、該基板ケースを着脱自在に保持するケース保持機構と、を備え、前記基板ケースには、前記情報端子板の配線形成面と対向する部位に、前記情報端子板の面に関わる説明が表示されており、前記情報端子板の面に関わる説明は、前記第１のコネクタ及び前記第２のコネクタにて中継される信号の名称、前記信号が電圧出力と接点出力のうちのどちらであるか、前記第１のコネクタ及び前記第２のコネクタにおける接続端子の極性、のうちの少なくとも１つであり、前記ケース保持機構は、当該遊技機に固定される板状部材と、前記基板ケースを該板状部材上に係着する係着部材と、から構成され、前記板状部材には、前記情報端子板の面に関わる説明が表示されていることを特徴とする。
【０００８】
この遊技機では、ケース保持機構が基板ケースを着脱自在に保持するため、点検作業時には、情報端子板を基板ケースごと遊技機から容易に取り外せ、又、点検作業の終了時には、情報端子板を基板ケースごと遊技機に容易に取り付けることができる。又、基板ケースが透明であるため、基板ケースを開封しなくても、情報端子板を点検できる。
【０００９】
つまり、本発明によれば、従来のように、ケースを開封したり、情報端子板を固定するビスを外すなどの作業を行わなくても、情報端子板の着脱や情報端子板の点検が可能なため、情報端子板の点検作業に要する手間を低減できる。
又、基板ケースには、情報端子板の配線形成面と対向する部位に、該情報端子板の面に関わる説明が表示されている。
この場合、作業者の視点を大きくずらすことなく、容易に情報端子板の面と説明とを照らし合わせることができる。即ち、情報端子板の点検作業をその分容易に行うことができ、ひいては情報端子板の点検作業に要する手間をより低減できる。
尚、基板ケースや板状部材への表示の仕方としては、例えば、基板ケースや板状部材に説明を印刷したり、説明を記したシールを貼付するなどの種々の方法を用いることができる。
又、情報端子板の面に関わる説明としては、例えば、配線面の配線図（例えば、配線のパターン図など）やコネクタの配置図、各配線上の信号の名称や形態、コネクタの色など種々のものを表示すれば良い。
そして、特に、第１のコネクタ及び第２のコネクタにて中継される信号の名称、信号の形態、第１のコネクタ及び第２のコネクタにおける接続端子の極性のうちの少なくとも１つが表示されていることが望ましい。
即ち、点検作業の際にコネクタを外した場合には、再接続の際に誤接続しないように注意を要するため、その説明が表示されていれば、接続作業と確認作業とを同時に行うことができ、ひいては、点検作業の手間を低減できる。
【００１０】
尚、情報端子板は、１つの基板で構成されていても良いし、複数の基板で構成されていても良い。
又、ケース保持機構は、当該遊技機に固定される板状部材と、基板ケースを該板状部材上に係着する係着部材とから構成される。
【００１１】
このようにケース保持機構が構成されていれば、基板ケースを係着部材に係着させたり、又、その係着を解除するだけで、情報端子板を基板ケースごと遊技機に着脱できる。
又、板状部材には、情報端子板の面に関わる説明が表示されている。
【００１２】
即ち、情報端子板の面を板状部材に表示された説明と照らし合わせながら点検できるため、例えば、情報端子板の配線面やコネクタ配設面を点検する際に、情報端子板の仕様書などを確認する手間が省け、情報端子板の点検作業に要する手間をより低減できる。
【００１５】
そして、特に、基板ケースには、請求項２記載のように、情報端子板の面に関わる説明が刻印によって表示されていることが望ましい。
つまり、刻印によって説明が表示されていれば、表示された説明に情報端子板が隠れてしまうといった不都合が生じることがなく、表示された説明の上からでも情報端子板を視認できる。
【００１９】
又、ケース保持機構は、請求項３記載のように、外部コネクタに接続された配線、及び制御コネクタに接続された配線を固定する配線固定機構を備えると良い。
このようにケース保持機構が構成されていれば、外部コネクタに接続された配線及び制御コネクタに接続された配線を固定することにより、これら配線が遊技機内の他の部位に干渉してしまうことを防止できる。
【００２０】
即ち、情報端子板の点検作業を終了して、基板ケースを再度遊技機に取り付けた際に、配線が遊技機の他の部位に干渉しないように注意を払う必要がなく、点検作業の手間をその分低減できる。
【００２１】
又、基板ケースは、例えば、請求項４記載のように、情報端子板を固定する第１のケース部材と、該第１のケース部材に係合し、該第１のケース部材と共に情報端子板を内部に封止する第２のケース部材とから構成されていると良い。
【００２２】
このように基板ケースが構成されていれば、点検作業時に、基板ケースを開封する必要が生じても、第２のケース部材を第１のケース部材から取り外すだけで、基板ケースを容易に開封することができるため、点検作業の手間をその分低減できる。
【００２３】
尚、この場合、第１のケース部材及び第２のケース部材には、請求項５記載のように、各々に対向する情報端子板の面に当接する当接部材が設けられていると良い。
このように第１のケース部材及び第２のケース部材が構成されていれば、これらを係合させた際に、それぞれに設けられた当接部材によって情報端子板が把持される。このため、外部コネクタや制御コネクタを着脱するために情報端子板に力を加えても、情報端子板が大きく反ってしまうことがない。即ち、点検作業時にコネクタを着脱する際に、情報端子板に加える力加減に細かい注意を払う必要がないため、点検作業の手間をその分低減できる。
【００２４】
ところで、第１のコネクタ及び第２のコネクタのうちの少なくとも一方が、情報端子板に立設される接続端子と、該接続端子を囲繞するように情報端子板に立設される絶縁体とを備える場合には、請求項６記載のように、接続端子は、情報端子板からの高さが絶縁体よりも低く設定されていることが望ましい。
【００２５】
即ち、接続端子が絶縁体から突出することがなく、点検作業の際に、作業者が接続端子に触れてしまわないように注意を払う必要がないため、点検作業の手間をその分低減できる。
【発明を実施するための最良の形態】
【００２６】
以下に本発明の実施形態を図面と共に説明する。
まず、図１は、本発明に係るパチンコ遊技機１の正面図である。
図１に示すように、パチンコ遊技機（以下、単に「パチンコ機」ともいう。）１は、遊技機島に固定される外枠３と、開閉自在に外枠３に軸支された内枠５とを備える。
【００２７】
そして、内枠５には、遊技を演出するために点灯させる３つの内枠ランプ７と、遊技者に遊技を提供する遊技盤９と、遊技盤９を封止する金枠１０と、遊技者が遊技盤９上への遊技球の発射操作を行うためのハンドル１１と、当該パチンコ機１から払い出される遊技球（貸球及び賞球）を貯留する上受け皿１３と、上受け皿１３が遊技球を貯留しきれなくなるなどして、上受け皿１３から排出される遊技球を受ける下受け皿１５とが設けられている。
【００２８】
又、遊技盤９上には、ＬＣＤ（Liquid  Crystal  Display）からなり、文字や図形を要素とした３つの特別図柄（図示せず）や遊技に関わる各種画像（図示せず）を表示するディスプレイ１７と、特別図柄の変動表示が保留されていることを遊技者に示す４つの特別図柄保留ランプ１９と、特別図柄の変動表示を開始させるために遊技者が遊技球を投入する始動入賞装置２１と、「大当たり」の発生時に実行する大当たり遊技の際に、遊技者が遊技球を投入する大入賞装置２３とが設けられている。
【００２９】
更に、遊技盤９上には、７セグメントＬＥＤからなり、１桁の数字からなる普通図柄（図示せず）を変動表示する普通図柄表示装置２５と、普通図柄の変動表示が保留されていることを遊技者に示す４つの普通図柄保留ランプ２７と、遊技を演出するために点灯させる１対の遊技盤ランプ２９と、遊技球の通過を検出する１対の始動ゲート３１とが設けられている。
【００３０】
次に、図２は、パチンコ機１の背面図である。
図２に示すように、内枠５の背部には、そのほぼ中央に、当該パチンコ機１を統括制御する主基板３２が主基板ケース３３の内部に封止された状態で配設されている。
【００３１】
そして、主基板ケース３３の上方には、ディスプレイ１７に特別図柄や遊技に関わる各種画像を表示したり、普通図柄表示装置２５に普通図柄を表示する図柄制御基板（図示せず）と、スピーカ（図示せず）を介して声や効果音、音楽などの音声を出力する音声制御基板（図示せず）と、内枠ランプ７や遊技盤ランプ２９、特別図柄保留ランプ１９、普通図柄保留ランプ２７を点灯する電飾制御基板（図示せず）とが、副基板ケース３５の内部に封止された状態で配設されている。
【００３２】
又、主基板ケース３３の下方には、遊技機島から供給されるＡＣ２４Ｖの交流電力を複数種類の直流電力（本実施形態では、ＤＣ＋５Ｖ、ＤＣ＋１２Ｖ、ＤＣ＋２４Ｖ、ＤＣ＋３２Ｖ）に変換し、パチンコ機１の各部に供給する電源基板３６と、上受け皿１３への遊技球の払出を行う払出装置（図示せず）を制御する払出制御基板３８とが、電源基板ケース３７と払出基板ケース３９との内部にそれぞれ封止された状態で配設されている。
【００３３】
又、内枠５の上端部付近には、遊技機島から供給される賞球を一時貯留する賞球タンク４１が配設され、又、賞球タンク４１付近には、本発明に係る基板ケース４３が配設されている。
【００３４】
ここで、図３を用いて、基板ケース４３について詳述する。尚、図３（ａ）は、基板ケース４３を表側から見た場合の平面図であり、図３（ｂ）は、基板ケース４３を裏側から見た場合の平面図であり、図３（ｃ）は、図３（ａ）におけるＡ−Ａ断面図である。
【００３５】
図３（ａ），（ｂ），（ｃ）に示すように、基板ケース４３は、透明な樹脂を材質とした扁平な直方体状のケースとして構成されている。そして、遊技場に設置された管理コンピュータ（図示せず）と主基板３２とを中継する基板である長方形状の盤用情報端子板４５と、管理コンピュータと払出制御基板３８とを中継する基板である長方形状の枠用情報端子板４７とを内部に封止している。
【００３６】
より具体的には、基板ケース４３は、盤用情報端子板４５及び枠用情報端子板４７の一方の長辺を図中上方に向けた状態で、これら基板を図中縦方向に並べて固定する底部材４３ａと、底部材４３ａに係合し、底部材４３ａと共にこれら基板を内部に封止する蓋部材４３ｂとから構成されている。そして、盤用情報端子板４５及び枠用情報端子板４７はそれぞれ、プリント配線を形成された配線形成面が底部材４３ａと対面し、後述する各種コネクタを配設されたコネクタ配設面が蓋部材４３ｂと対面するように配設されている。
【００３７】
ここで、蓋部材４３ｂには、図中縦方向の上端部の両側端付近に、長方形の平面形状を有する１対の突片４３ｃが図中上方に向けて突設されている。但し、突片４３ｃは、蓋部材４３ｂと一体に形成されている。
【００３８】
又、蓋部材４３ｂの内壁には、盤用情報端子板４５及び枠用情報端子板４７の図中横方向の両端付近と対向する部位にそれぞれ、これら基板のコネクタ配設面に当接する部材である基板押さえ４３ｅが配設されている。但し、本実施形態では、基板押さえ４３ｅは、弾性を有する樹脂から形成されている。
【００３９】
又、蓋部材４３ｂは、盤用情報端子板４５及び枠用情報端子板４７に配設された各コネクタと対向する部位にそれぞれ、各コネクタを外部に露出する挿通孔が形成されている。
より具体的には、盤用情報端子板４５には、その中央に、主基板３２からのコネクタ（図示せず）と接続するためのコネクタ４５ａが配設され、又、その四方の角付近に、管理コンピュータからのコネクタ（図示せず）に接続され、特別図柄を停止表示した旨を示す図柄確定回数信号を出力するためのコネクタ４５ｂと、大入賞装置２３における大入賞口の開放を示す大入賞口信号を出力するためのコネクタ４５ｃと、大当たり遊技中である旨を示す大当たり１信号を出力するためのコネクタ４５ｄと、遊技者にとって有利な遊技状態が発生している旨を示す大当たり２信号を出力するためのコネクタ４５ｅとがそれぞれ配設されている。そして、蓋部材４３ｂには、これらコネクタ４５ａ〜４５ｅを外部に露出する挿通孔４３１，４３３，４３５，４３７，４３９が形成されている。
【００４０】
尚、本実施形態では、コネクタ４５ａは、盤用情報端子板４５に立設された５つの接続端子６１と、これら接続端子６１を囲繞するように盤用情報端子板４５に立設された直方体状の絶縁体からなるハウジング６３とを備えた雄型コネクタとして構成されている。又、コネクタ４５ｂは、盤用情報端子板４５に立設された２つの接続端子６５と、これら接続端子６５を囲繞するように盤用情報端子板４５に立設された直方体状の絶縁体からなるハウジング６７とを備えた雄型コネクタとして構成されている。又、コネクタ４５ｃは、盤用情報端子板４５に立設された２つの接続端子６９と、これら接続端子６９を囲繞するように盤用情報端子板４５に立設された直方体状の絶縁体からなるハウジング７１とを備えた雄型コネクタとして構成されている。又、コネクタ４５ｄは、盤用情報端子板４５に立設された２つの接続端子７３と、これら接続端子７３を囲繞するように盤用情報端子板４５に立設された直方体状の絶縁体からなるハウジング７５とを備えた雄型コネクタとして構成されている。又、コネクタ４５ｅは、盤用情報端子板４５に立設された２つの接続端子７７と、これら接続端子７７を囲繞するように盤用情報端子板４５に立設された直方体状の絶縁体からなるハウジング７９とを備えた雄型コネクタとして構成されている。
【００４１】
但し、これらコネクタ４５ａ〜４５ｅの接続端子６１，６５，６９，７３，７７は、盤用情報端子板４５からの高さがハウジング６３，６７，７１，７５，７９よりも低く設定されている。
【００４２】
そして、本実施形態では、挿通孔４３１〜４３９はそれぞれ、管理コンピュータからのコネクタや主基板３２からのコネクタをコネクタ４５ａ〜４５ｅに接続した際に、作業者の指先が入る程度で、且つ、遊技球の径よりも小さい隙間しか生じないような大きさを有するように形成されている。
【００４３】
又、枠用情報端子板４７には、その中央に、払出制御基板３８や内枠５の開放を検出する内枠スイッチ（図示せず）、金枠１０の開放を検出する金枠スイッチ（図示せず）からの同一のコネクタ（図示せず）と接続するためのコネクタ４７ａが配設され、又、その四方の角付近に、管理コンピュータからのコネクタに接続され、賞球の払出を示す賞球信号を出力するためのコネクタ４７ｂと、貸球の払出を示す球貸し信号を出力するコネクタ４７ｃと、金枠１０が開放された旨を示す金枠開放信号を出力するためのコネクタ４７ｄと、内枠５が開放された旨を示す内枠開放信号を出力するためのコネクタ４７ｅとがそれぞれ配設されている。そして、蓋部材４３ｂには、これらコネクタ４７ａ〜４７ｅを外部に露出する挿通孔４４１，４４３，４４５，４４７，４４９が形成されている。
【００４４】
尚、本実施形態では、コネクタ４７ａは、枠用情報端子板４７に立設された７つの接続端子８１と、これら接続端子８１を囲繞するように枠用情報端子板４７に立設された直方体状の絶縁体からなるハウジング８３とを備えた雄型コネクタとして構成されている。又、コネクタ４７ｂは、枠用情報端子板４７に立設された２つの接続端子８５と、これら接続端子８５を囲繞するように枠用情報端子板４７に立設された直方体状の絶縁体からなるハウジング８７とを備えた雄型コネクタとして構成されている。又、コネクタ４７ｃは、枠用情報端子板４７に立設された２つの接続端子８９と、これら接続端子８９を囲繞するように枠用情報端子板４７に立設された直方体状の絶縁体からなるハウジング９１とを備えた雄型コネクタとして構成されている。又、コネクタ４７ｄは、枠用情報端子板４７に立設された２つの接続端子９３と、これら接続端子９３を囲繞するように枠用情報端子板４７に立設された直方体状の絶縁体からなるハウジング９５とを備えた雄型コネクタとして構成されている。又、コネクタ４７ｅは、枠用情報端子板４７に立設された２つの接続端子９７と、これら接続端子９７を囲繞するように枠用情報端子板４７に立設された直方体状の絶縁体からなるハウジング９９とを備えた雄型コネクタとして構成されている。
【００４５】
但し、これらコネクタ４７ａ〜４７ｅの接続端子８１，８５，８９，９３，９７は、枠用情報端子板４７からの高さがハウジング８３，８７，９１，９５，９９よりも低く設定されている。
【００４６】
そして、本実施形態では、挿通孔４４１〜４４９はそれぞれ、管理コンピュータからのコネクタや、払出制御基板３８、内枠スイッチ、金枠スイッチからの同一のコネクタをコネクタ４７ａ〜４７ｅに接続した際に、作業者の指先が入る程度で、且つ、遊技球の径よりも小さい隙間しか生じないような大きさを有するように形成されている。
【００４７】
又、蓋部材４３ｂには、挿通孔４３３〜４３９及び挿通孔４４３〜４４９付近にそれぞれ、コネクタ４５ｂ〜４５ｅ及びコネクタ４７ｂ〜４７ｅにそれぞれ割り振られた１〜８の番号が刻印されていると共に、挿通孔４３３〜４３９及び挿通孔４４３，４４５付近にそれぞれ、コネクタ４５ｂ，４５ｃ，４５ｄ，４５ｅ，４７ｂ，４７ｃにおける各接続端子の極性が刻印されている。
【００４８】
そして、以上のように構成された蓋部材４３ｂは、その中央部にビス４３ｆが挿通され、ビス４３ｆによって底部材４３ａに固定される。
一方、底部材４３ａの内壁には、盤用情報端子板４５の四方の角と枠用情報端子板４７の四方の角と対向する部位にそれぞれ、これら基板の四方の角に当接し、これら基板を載置するための部材である基板ケースリブ４３ｄが配設されている。但し、本実施形態では、基板ケースリブ４３ｄは、弾性を有する樹脂から形成されている。
【００４９】
又、底部材４３ａの外壁には、盤用情報端子盤４５及び枠用情報端子板４７の名称がそれぞれ、これら基板と対向する部位に刻印され、又、これら基板の配線面から見たコネクタ４５ａ〜４５ｅ及びコネクタ４７ａ〜４７ｅの平面図がそれぞれ、これら基板を介してこれらコネクタと対向する部位に刻印されている。
【００５０】
更に、これらコネクタの平面図付近には、各コネクタに割り振られた番号や、各コネクタから出力される信号の名称及び信号の形態（本実施形態では、トランジスタからの電圧信号である「電圧出力」、もしくは、リレーの接点からの電圧信号である「接点出力」のどちらか一方）、各端子の極性、コネクタの色（本実施形態では、赤、青、黄、緑、紫、ピンク、紺、白）などが刻印されている。
【００５１】
続いて、図４を用いて、基板ケース４３を保持するケース保持機構４９について詳述する。尚、図４（ａ）は、ケース保持機構４９の平面図であり、図４（ｂ）は、図４（ａ）中の矢視Ｂ方向におけるケース保持機構４９の側面図である。
【００５２】
図４（ａ），（ｂ）に示すように、ケース保持機構４９は、パチンコ機１に固定される板状部材からなる固定ベース４９ａと、固定ベース４９ａの図中上端部の両側端付近から固定ベース４９ａの面に垂直な方向に突設された板状部材からなる１対の係着部材４９ｂと、固定ベース４９ａの図中下端部の両側端付近から係着部材４９ｂと同じ方向に突設された板状部材からなる１対の係着部材４９ｅとから構成されている。但し、ケース保持機構４９は、樹脂からなり、固定ベース４９ａ及び係着部材４９ｂ，４９ｅが一体に形成されている。
【００５３】
そして、固定ベース４９ａには、基板ケース４３の底部材４３ａと同様に、盤用情報端子板４５及び枠用情報端子板４７の名称が表示され、又、これら基板のコネクタ配設面から見たコネクタ４５ｂ〜コネクタ４５ｅ及びコネクタ４７ｂ〜コネクタ４７ｅの平面図がコネクタ配設面での配置と同様の配置で表示されている。更に、これらコネクタの平面図付近には、これらコネクタに割り振られた番号や、これらコネクタから出力される信号の名称及び信号の形態、各端子の極性、コネクタの色などが印刷されている。
【００５４】
又、固定ベース４９ａの中央には、ビスを挿通するための挿通孔４９ｆが形成されており、コネクタの平面図が表示された面の反対面を背にして、固定ベース４９ａをビスによってパチンコ機１に固定できるように構成されている。つまり、ケース保持機構４９は、パチンコ機１から着脱可能に構成されている。
【００５５】
又、係着部材４９ｂは、付勢力を発揮しながら図中上下方向に僅かに傾動可能であり、又、その先端部には、基板ケース４３の蓋部材４３ｂにおける突片４３ｃを引っ掛けるための爪部４９ｃが形成されている。
【００５６】
更に、爪部４９ｃの先端部には、一部に切り欠きを有した円状の固定部４９ｄが係着部材４９ｂの突設方向に突設され、盤用情報端子板４５のコネクタ４５ａ〜４５ｅに接続される配線や、枠用情報端子板４７のコネクタ４７ａ〜４７ｅに接続される配線を固定部４９ｄに通すことで、これら配線を係着部材４９ｂに固定できるようにされている。
【００５７】
又、係着部材４９ｅは、係着部材４９ｂと同様に、付勢力を発揮しながら図中上下方向に僅かに傾動可能であり、又、その先端部が固定ベース４９ａの面に沿って屈曲され、基板ケース４３における突片４３ｃの形成端とは反対側の一端（以下、「反対端」という。）を係着できるようにされている。
【００５８】
そして、以上のように構成されたケース保持機構４９をパチンコ機１における基板ケース４３の配設部位に取り付け、係着部材４９ｂ，４９ｅを傾動させながら基板ケース４３の突片４３ｃや基板ケース４３の反対端を係着部材４９ｂ，４９ｅにそれぞれ係着させることにより、基板ケース４３が固定ベース４９ａ上に係着される（図５参照）。
【００５９】
以上のように構成された本実施形態のパチンコ機１では、基板ケース４３をケース保持機構４９の係着部材４９ｂ，４９ｅに係着させたり、又、その係着を解除するだけで、盤用情報端子板４５及び枠用情報端子板４７を基板ケース４３ごとパチンコ機１に着脱できる。又、基板ケース４３が透明であるため、基板ケース４３を開封しなくても、これら情報端子板を点検できる。
【００６０】
つまり、本実施形態のパチンコ機１によれば、従来のように、ケースを開封したり、情報端子板を固定するビスを外すなどの作業を行わなくても、情報端子板の着脱や情報端子板の点検が可能なため、情報端子板の点検作業に要する手間を低減できる。
【００６１】
又、本実施形態のパチンコ機１では、ケース保持機構４９の固定ベース４９上に各コネクタの平面図などが印刷されているため、盤用情報端子板４５及び枠用情報端子板４７のコネクタ配設面を点検する際に、これら情報端子板の仕様書などを確認する手間が省け、これら情報端子板の点検作業に要する手間をより低減できる。
【００６２】
又、本実施形態のパチンコ機１では、基板ケース４３の底部材４３ａに各コネクタの平面図などが刻印されているため、作業者の視点を大きくずらすことなく、容易に情報端子板の配線面とコネクタの配置とを照らし合わせることができる。つまり、配線とコネクタとの接続が正しいか否かや、不正基板が配線面に付設されているか否かを容易に点検でき、ひいては情報端子板の点検作業に要する手間をより低減できる。
【００６３】
又、本実施形態のパチンコ機１では、基板ケース４３の蓋部材４３ｂにおける挿通孔４３３〜４３９及び挿通孔４４３〜４４９付近にそれぞれ、コネクタ４５ｂ〜４５ｅ及びコネクタ４７ｂ〜４７ｅの各接続端子の極性が刻印されているため、コネクタを再接続する際に、接続作業と、接続が正しいか否かを確認する確認作業とを同時に行うことができ、ひいては、点検作業の手間を低減できる。
【００６４】
又、本実施形態のパチンコ機１では、コネクタの平面図などが刻印によって基板ケース４３の底部材４３ａや蓋部材４３ｂに表示されているため、表示されたコネクタの平面図に盤用情報端子板４５及び枠用情報端子板４７が隠れてしまうといった不都合が生じることがなく、表示されたコネクタの平面図などの上からでもこれら情報端子板を視認できる。
【００６５】
又、本実施形態のパチンコ機１では、ケース保持機構４９の係着部材４９ｂに配線を固定する固定部４９ｄが形成されているため、管理コンピュータからのコネクタに接続された配線や、主基板３２及び払出制御基板からのコネクタに接続された配線を固定することにより、これら配線がパチンコ機１内の他の部位に干渉してしまうことを防止できる。即ち、盤用情報端子板４５及び枠用情報端子板４７の点検作業を終了して、基板ケース４３を再度パチンコ機１に取り付けた際に、配線がパチンコ機１の他の部位に干渉しないように注意を払う必要がなく、点検作業の手間をその分低減できる。
【００６６】
又、本実施形態のパチンコ機１では、基板ケース４３の蓋部材４３ｂが、底部材４３ａに係合し、底部材４３ａと共に盤用情報端子板４５及び枠用情報端子板４７を内部に封止するように構成されているため、点検作業時に、基板ケース４３を開封する必要が生じても、ビス４３ｆを取り外し、蓋部材４３ｂを底部材４３ａから取り外すだけで、基板ケース４３を容易に開封することができるため、点検作業の手間をその分低減できる。
【００６７】
又、本実施形態のパチンコ機１では、底部材４３ａ及び蓋部材４３ｂにそれぞれ、盤用情報端子板４５及び枠用情報端子板４７に当接するように、基板ケースリブ４３ｄと基板押さえ４３ｅとが配設されているため、底部材４３ａと蓋部材４３ｂとを係合させた際に、基板ケースリブ４３ｄと基板押さえ４３ｅとによってこれら基板が把持される。このため、コネクタ４５ａ〜４５ｅ及びコネクタ４７ａ〜４７ｅを着脱するために、これら情報端子板に力を加えても、これら情報端子板が大きく反ってしまうことがない。即ち、点検作業時にコネクタを着脱する際に、情報端子板に加える力加減に細かい注意を払う必要がないため、点検作業の手間をその分低減できる。
【００６８】
又、本実施形態では、コネクタ４５ａ〜４５ｅ及びコネクタ４７ａ〜４７ｅにおける接続端子の盤用情報端子板４５及び枠用情報端子板４７からの高さが、各コネクタのハウジングよりも低く設定されているため、接続端子がハウジングから突出することがない。このため、点検作業の際に、作業者が接続端子に触れてしまわないように注意を払う必要がなく、ひいては、点検作業の手間をその分低減できる。
【００６９】
尚、本実施形態では、管理コンピュータが本発明における外部装置に相当し、管理コンピュータからのコネクタが本発明における外部コネクタに相当する。
又、本実施形態では、主基板３２及び払出制御基板３８が本発明における制御基板に相当し、主基板３２からのコネクタ及び払出制御基板３８からのコネクタが本発明における制御コネクタに相当する。
【００７０】
又、本実施形態では、盤用情報端子板４５及び枠用情報端子板４７が本発明における情報端子板に相当し、コネクタ４５ｂ〜４５ｅ及びコネクタ４７ｂ〜４７ｅが本発明における第１のコネクタに相当し、コネクタ４５ａ及びコネクタ４７ａが本発明における第２のコネクタに相当する。
【００７１】
又、本実施形態では、基板ケース４３が本発明における基板ケースに相当し、ケース保持機構４９が本発明におけるケース保持機構に相当する。
又、本実施形態では、ケース保持機構４９の固定ベース４９ａが本発明における板状部材に相当し、係着部材４９ｂ，４９ｅが本発明における係着部材に相当し、固定部４９ｄが本発明における配線固定機構に相当する。
【００７２】
又、本実施形態では、基板ケース４３の底部材４３ａが本発明における第１のケース部材に相当し、蓋部材４３ｂが本発明における第２のケース部材に相当する。
又、本実施形態では、基板ケースリブ４３ｄと基板押さえ４３ｅとが本発明における当接部材に相当する。
【００７３】
又、本実施形態では、接続端子６１，６５，６９，７３，７７，８１，８５，８９，９３，９７が本発明における接続端子に相当し、ハウジング６３，６７，７１，７５，７９，８３，８７，９１，９５，９９が本発明における絶縁体に相当する。
【００７４】
以上、本発明の実施の形態について説明したが、本発明は、上記実施形態に何ら限定されることはなく、本発明の技術的範囲に属する限り種々の形態をとり得ることはいうまでもない。
【００７５】
例えば、基板ケース４３、盤用情報端子板４５、枠用情報端子板４７は、図６に示す基板ケース５３、盤用情報端子板５５、枠用情報端子板５７のように構成されていても良い。
【００７６】
即ち、主基板３２と接続するためのコネクタ５５ａ，５７ａをそれぞれ、盤用情報端子板５５及び枠用情報端子板５７のコネクタ配設面に沿って設ける。そして、基板ケース５３の底部材５３ａもしくは蓋部材５３ｂにおける基板ケース５３の厚み方向に沿った側壁にコネクタ５５ａ，５７ａを外部に露出する挿通孔５３１，５３３を設け、これら挿通孔５３１，５３３から外部へ突出させても良い。
【００７７】
尚、図６（ａ）は、基板ケース５３を表側から見た場合の平面図であり、図６（ｂ）は、基板ケース５３を裏側から見た場合の平面図であり、図６（ｃ）は、図６（ａ）におけるＣ−Ｃ断面図である。
【００７８】
又、上記実施形態では、ケース保持機構４９は、基板ケース４３を固定ベース４９ａに係着することで、基板ケース４３をパチンコ機１に着脱自在に保持するように構成されていたが、この他の形態にて基板ケース４３を着脱自在に保持するように構成されていても良い。
【００７９】
又、上記実施形態では、基板ケース４３の蓋部材４３ｂは、ビスによって底部材４３ａに固定されていたが、底部材４３ａと嵌合することによって固定できるように構成されていても良い。この場合、嵌合を解除するだけで蓋部材４３ｂを底部材４３ａから取り外せる。即ち、基板ケース４３を開封するのに手間がかからず、ひいては、点検作業の手間をより低減できる。
【００８０】
又、上記実施形態では、基板ケース４３は、直方体状に成形されていたが、形状はこれに限ったものでなく、パチンコ機１に取り付ける際の諸事情に応じて、他の形状に成形されていても勿論良い。
【００８１】
又、上記実施形態では、印刷によってコネクタの平面図などが固定ベース４９ａに表示されていたが、コネクタの平面図などを刻印したり、コネクタの平面図などを記したシールを貼付したりなどして表示しても勿論良い。
【００８２】
又、上記実施形態では、刻印によってコネクタの平面図などが基板ケース４３に表示されていたが、コネクタの平面図などを印刷したり、コネクタの平面図などを記したシールを貼付したりなどして表示しても勿論良い。
【００８３】
又、上記実施形態では、情報端子板が、盤用情報端子板４５と枠用情報端子板４７との２つの基板から構成されていたが、１つの基板で構成されていても良いし、３つ以上の基板から構成されていても良い。
【００８４】
又、上記実施形態では、盤用情報端子板４５及び枠用情報端子板４７が遊技場の管理コンピュータに直接接続されていたが、遊技機島に設置されたコンピュータ、又は呼出ランプを介して管理コンピュータに接続されても良い。
【００８５】
又、上記実施形態では、本発明をパチンコ遊技機に適用したが、スロット遊技機や遊技球を用いてスロット遊技を行う遊技機（所謂「パチロット」）、アレンジボール遊技機などの他の形態の遊技機に適用しても勿論良い。
【図面の簡単な説明】
【００８６】
【図１】本発明に係るパチンコ機１の正面図である。
【図２】本発明に係るパチンコ機１の背面図である。
【図３】（ａ）は、基板ケース４３を表側から見た場合の平面図であり、（ｂ）は、基板ケース４３を裏側から見た場合の平面図であり、（ｃ）は、（ａ）におけるＡ−Ａ断面図である。
【図４】（ａ）は、ケース保持機構４９を表側から見た場合の平面図であり、（ｂ）は、（ａ）中の矢視Ｂ方向におけるケース保持機構４９の側面図である。
【図５】基板ケース４３をケース保持機構４９に係着させた様子を示す説明図である。
【図６】（ａ）は、基板ケース５３を表側から見た場合の平面図であり、（ｂ）は、基板ケース５３を裏側から見た場合の平面図であり、（ｃ）は、（ａ）におけるＣ−Ｃ断面図である。
【符号の説明】
【００８７】
１…パチンコ機、３…外枠、５…内枠、７…内枠ランプ、９…遊技盤、１０…金枠、１１…ハンドル、１３…上受け皿、１５…下受け皿、１７…ディスプレイ、１９…特別図柄保留ランプ、２１…始動入賞装置、２３…大入賞装置、２５…普通図柄表示装置、２７…普通図柄保留ランプ、２９…遊技盤ランプ、３１…始動ゲート、３２…主基板、３３…主基板ケース、３５…副基板ケース、３６…電源基板、３７…電源基板ケース、３８…払出制御基板、３９…払出基板ケース、４１…賞球タンク、４３，５３…基板ケース、４３ａ…底部材、４３ｂ…蓋部材、４３ｃ…突片、４３ｄ…基板ケースリブ、４３ｅ…基板押さえ、４３ｆ…ビス、４５，５５…盤用情報端子板、４５ａ，４５ｂ，４５ｃ，４５ｄ，４５ｅ，４７ａ，４７ｂ，４７ｃ，４７ｄ，４７ｅ，５５ａ，５７ａ…コネクタ、４７，５７…枠用情報端子板、４９…ケース保持機構、４９ａ…固定ベース、４９ｂ，４９ｅ…係着部材、４９ｃ…爪部、４９ｄ…固定部、４９ｆ，４３１，４３３，４３５，４３７，４３９，４４１，４４３，４４５，４４７，４４９，５３１，５３３…挿通孔、６１，６５，６９，７３，７７，８１，８５，８９，９３，９７…接続端子、６３，６７，７１，７５，７９，８３，８７，９１，９５，９９…ハウジング。
【図１】
0004604526.tif 000002
【図２】
0004604526.tif 000003
【図３】
0004604526.tif 000004
【図４】
0004604526.tif 000005
【図５】
0004604526.tif 000006
【図６】
0004604526.tif 000007